(57)【要約】【課題】画像形成動作中に発生する騒音を低減すること。【解決手段】画像形成装置（Ｕ）の本体（Ｕ１）の内部に流体を移送する移送装置（Ｕ４）と、画像形成動作の回数を累積する計数手段（Ｃ７）と、移送装置（Ｕ４）の作動および作動停止を制御する移送制御手段（Ｃ１２）であって、画像形成動作が開始された場合に移送装置（Ｕ４）を停止させ且つ累積回数（Ｎ１）が予め設定された設定回数（Ｎａ）以上になった場合に移送装置（Ｕ４）を作動させる移送制御手段（Ｃ１２）と、を備えた画像形成装置（Ｕ）。【選択図】図４
2012081709.tif 000002
【特許請求の範囲】
【請求項１】
画像形成装置の本体の内部に流体を移送する移送装置と、
画像形成動作の回数を計数する計数手段と、
前記移送装置の作動および作動停止を制御する移送制御手段であって、画像形成動作が開始された場合に前記移送装置を停止させ且つ前記累積回数が予め設定された設定回数以上になった場合に前記移送装置を作動させる前記移送制御手段と、
を備えたことを特徴とする画像形成装置。
【請求項２】
前記画像形成装置の外部の温度に基づいて、外部の温度が予め設定された設定温度を超える場合に予め設定された高温用の設定回数を前記設定回数として設定すると共に、外部の温度が前記設定温度以下である場合に予め設定され且つ前記高温用の設定回数よりも大きな低温用の設定回数を前記設定回数として設定する回数設定手段と、
を備えたことを特徴とする請求項１に記載の画像形成装置。
【請求項３】
前記画像形成装置の本体に着脱可能に装着されて前記画像形成装置に機能を追加する追加装置と、
前記追加装置が装着された場合に、前記追加装置が装着されていない場合に比べて、大きな前記設定回数を設定する回数設定手段と、
を備えたことを特徴とする請求項１または２に記載の画像形成装置。
【請求項４】
前記画像形成動作が終了したことを特定する終了情報を記憶する終了記憶手段と、
前記画像形成動作が開始された場合に、前記終了情報が記憶されているか否かを判別する終了情報の判別手段と、
前記画像形成動作が終了する度に前記終了情報を前記終了記憶手段に記憶させる設定を行うと共に、前記終了情報の判別手段による判別がされた場合に前記終了情報を初期化する設定を行う終了情報の設定手段と、
前記終了情報の判別手段により前記終了情報が初期化されていると判別された場合に、前記画像形成装置の外部の温度と内部の温度との温度差が予め設定された温度差以上であるか否かを判別する温度差判別手段と、
前記温度差が予め設定された温度差以下である場合、画像形成動作が開始された場合に前記移送装置を停止させ且つ前記累積回数が予め設定された設定回数以上になった場合に前記移送装置を作動させると共に、前記温度差が予め設定された温度差より大きい場合、画像形成動作が開始された場合に前記移送装置を作動させる前記移送制御手段と、
を備えたことを特徴とする請求項１ないし３のいずれかに記載の画像形成装置。
【発明の詳細な説明】
【技術分野】
【０００１】
本発明は、画像形成装置に関する。
【背景技術】
【０００２】
プリンタ、複写機等の画像形成装置において、移送装置の一例としてのファンを備えた画像形成装置に関し、以下の特許文献１に記載の技術が従来公知である。
特許文献１としての特開２００８−２４２４８８号公報には、画像形成装置に設けられた複数のファンによる騒音を低減するために、印刷処理が終了した後の所定期間や、定着手段の温度が印刷される温度よりも低い温度の場合、すなわち、印刷の待機状態、いわゆるスタンバイモードや、省電力状態、いわゆるスリープモードにおいて、複数のファンのうち、一部を動作させると共に残りを停止させる技術、すなわち印刷処理後の騒音を低減させる技術が記載されている。
【先行技術文献】
【特許文献】
【０００３】
【特許文献１】特開２００８−２４２４８８号公報（「０００３」〜「０００７」）
【発明の概要】
【発明が解決しようとする課題】
【０００４】
本発明は、画像形成動作中に発生する騒音を低減することを技術的課題とする。
【課題を解決するための手段】
【０００５】
前記技術的課題を解決するために、請求項１に記載の発明の画像形成装置は、
画像形成装置の本体の内部に流体を移送する移送装置と、
画像形成動作の回数を計数する計数手段と、
前記移送装置の作動および作動停止を制御する移送制御手段であって、画像形成動作が開始された場合に前記移送装置を停止させ且つ前記累積回数が予め設定された設定回数以上になった場合に前記移送装置を作動させる前記移送制御手段と、
を備えたことを特徴とする。
【０００６】
請求項２に記載の発明は、請求項１に記載の画像形成装置において、
前記画像形成装置の外部の温度に基づいて、外部の温度が予め設定された設定温度を超える場合に予め設定された高温用の設定回数を前記設定回数として設定すると共に、外部の温度が前記設定温度以下である場合に予め設定され且つ前記高温用の設定回数よりも大きな低温用の設定回数を前記設定回数として設定する回数設定手段と、
を備えたことを特徴とする。
【０００７】
請求項３に記載の発明は、請求項１または２に記載の画像形成装置において、
前記画像形成装置の本体に着脱可能に装着されて前記画像形成装置に機能を追加する追加装置と、
前記追加装置が装着された場合に、前記追加装置が装着されていない場合に比べて、大きな前記設定回数を設定する回数設定手段と、
を備えたことを特徴とする。
【０００８】
請求項４に記載の発明は、請求項１ないし３のいずれかに記載の画像形成装置において、
前記画像形成動作が終了したことを特定する終了情報を記憶する終了記憶手段と、
前記画像形成動作が開始された場合に、前記終了情報が記憶されているか否かを判別する終了情報の判別手段と、
前記画像形成動作が終了する度に前記終了情報を前記終了記憶手段に記憶させる設定を行うと共に、前記終了情報の判別手段による判別がされた場合に前記終了情報を初期化する設定を行う終了情報の設定手段と、
前記終了情報の判別手段により前記終了情報が初期化されていると判別された場合に、前記画像形成装置の外部の温度と内部の温度との温度差が予め設定された温度差以上であるか否かを判別する温度差判別手段と、
前記温度差が予め設定された温度差以下である場合、画像形成動作が開始された場合に前記移送装置を停止させ且つ前記累積回数が予め設定された設定回数以上になった場合に前記移送装置を作動させると共に、前記温度差が予め設定された温度差より大きい場合、画像形成動作が開始された場合に前記移送装置を作動させる前記移送制御手段と、
を備えたことを特徴とする。
【発明の効果】
【０００９】
請求項１に記載の発明によれば、本発明の構成を有しない場合に比べて、画像形成動作中に発生する騒音を低減することができる。
請求項２に記載の発明によれば、外部の温度に基づいて設定回数の設定が行われない場合に比べて、騒音の発生を低減しつつ本体の内部の過熱を低減することができる。
請求項３に記載の発明によれば、追加装置の装着の有無に基づいて設定回数の設定が行われない場合に比べて、騒音の発生を低減しつつ本体の内部の過熱を低減することができる。
請求項４に記載の発明によれば、終了情報が初期化されていても温度差が小さい場合には、画像形成動作の実行中に移送装置を停止させることができる。
【図面の簡単な説明】
【００１０】
【図１】図１は本発明の実施例１のプリンタの全体斜視図である。
【図２】図２は本発明の実施例１の画像形成装置の全体説明図である。
【図３】図３は実施例１の画像形成装置において、追加装置の一例としての反転ユニットおよび追加給紙トレイが装着された状態の説明図である。
【図４】図４は実施例１の制御部の要部説明図である。
【図５】図５は実施例１の設定テーブルの説明図である。
【図６】図６は実施例１の移送制御処理の一例としてのファン制御処理のフローチャートである。
【発明を実施するための形態】
【００１１】
次に図面を参照しながら、本発明の実施の形態の具体例である実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１２】
図１は本発明の実施例１のプリンタの全体斜視図である。
図１において、本発明の画像形成装置の実施例１のプリンタＵは、装置本体Ｕ１を有する。前記装置本体Ｕ１の前面には、新たな媒体を補充する際に開閉される媒体補充用の開閉部材の一例としてのフロントカバーＵ２が下端を中心として開閉可能に支持されている。前記装置本体Ｕ１の右側面には、新規現像剤の補給や廃棄現像剤が回収された交換容器の一例としてのトナーカートリッジの交換を行う際に開閉される容器交換用の開閉部材の一例としてのサイドカバーＵ３が後端を中心として開閉可能に支持されている。前記サイドカバーＵ３の内側の装置本体Ｕ１には、後述する現像剤収容容器の一例としてのトナーカートリッジＴＣｙ〜ＴＣｋが着脱可能に支持される。前記装置本体Ｕ１の上面には排紙部の一例としての排出トレイＴＲｈが設けられている。
【００１３】
また、実施例１の装置本体Ｕ１の右側面の後側下端には、気体を移送する移送装置の一例としてのファンＵ４が配置されており、内部に冷却用の空気を導入可能に構成されている。なお、装置本体Ｕ１には、例えば、左側面等にファンＵ４と同様の移送装置が複数配置されているが、説明の簡単化のため、ファンＵ４のみを図示してその他のファンについては図示を省略する。
【００１４】
図２は本発明の実施例１の画像形成装置の全体説明図である。
図１、図２において、前記フロントカバーＵ２は、媒体の一例としての用紙を挿入可能な図２の実線で示す開放位置と、図１および図２の破線で示す閉塞位置との間で移動可能に支持されている。
図２において、前記プリンタＵの下部には、各種制御回路や記憶媒体等が配置された制御基板ＳＣが配置されている。前記制御基板ＳＣには、プリンタＵの各種制御を行う制御部Ｃと、制御部Ｃにより作動を制御される画像処理部ＧＳ、潜像形成装置の駆動回路の一例としての書込駆動回路ＤＬ、および電源装置の一例としての電源回路Ｅ等が設けられている。電源回路Ｅは、後述の帯電器の一例としての帯電ローラＣＲｙ〜ＣＲｋ、現像部材の一例としての現像ローラＧ１ｙ〜Ｇ１ｋおよび転写器の一例としての１次転写ローラＴ１ｙ〜Ｔ１ｋ等に電圧を印加する。
【００１５】
前記画像処理部ＧＳは、装置本体Ｕ１に電気的に接続された画像情報の送信装置の一例としてのパーソナルコンピュータＰＣ等から入力された印刷情報を、イエロー、マゼンタ、シアン、黒、すなわち、Ｙ，Ｍ，Ｃ，Ｋの４色の画像に対応した潜像形成用の画像情報に変換して、予め設定された時期に書込駆動回路ＤＬに出力する。
なお、原稿画像が単色画像、いわゆる、モノクロの場合は、黒色のみの画像情報が書込駆動回路ＤＬに入力される。
前記書込駆動回路ＤＬは、図示しない各色Ｙ，Ｍ，Ｃ，Ｋの駆動回路を有し、入力された画像情報に応じた信号を所定の時期に、各色毎に配置された潜像形成装置の一例としてのＬＥＤヘッドＬＨｙ，ＬＨｍ，ＬＨｃ，ＬＨｋに出力する。
【００１６】
図２において、前記制御基板ＳＣの上方には、イエロー、マゼンタ、シアン、黒の各色の可視像の一例としてのトナー像を形成する可視像形成装置の一例としての作像装置ＵＹ，ＵＭ，ＵＣ，ＵＫが配置されている。図２において、黒色、すなわち、Ｋ色の作像装置ＵＫは回転する像保持体の一例としての感光体Ｐｋを有する。前記感光体Ｐｋの周囲には、感光体Ｐｋの表面を帯電させる帯電器の一例としての帯電ロールＣＲｋ、感光体Ｐｋの表面に静電潜像を形成する潜像形成装置の一例としてのＬＥＤヘッドＬＨｋ、感光体Ｐｋの表面の静電潜像を可視像に現像する現像装置Ｇｋ、感光体Ｐｋの表面に残留した現像剤を除去する像保持体用の清掃器の一例としての感光体クリーナＣＬｋ等が配置されている。
他の色の作像装置ＵＹ，ＵＭ，ＵＣも、黒色の作像装置ＵＫと同様に構成されている。
【００１７】
前記感光体Ｐｙ〜Ｐｋは、帯電ロールＣＲｙ〜ＣＲｋと対向する帯電領域Ｑ１ｙ，Ｑ１ｍ，Ｑ１ｃ，Ｑ１ｋで帯電ロールＣＲｙ〜ＣＲｋにより表面を一様に帯電された後、潜像形成領域Ｑ２ｙ，Ｑ２ｍ，Ｑ２ｃ，Ｑ２ｋでＬＥＤヘッドＬＨｙ〜ＬＨｋにより潜像が書き込まれる。書き込まれた静電潜像は現像装置Ｇｙ〜Ｇｋと対向する現像領域Ｑ３ｙ，Ｑ３ｍ，Ｑ３ｃ，Ｑ３ｋにおいてトナー像に現像される。現像されたトナー像は、中間転写体の一例としての中間転写ベルトＢに接触する１次転写領域Ｑ４ｙ，Ｑ４ｍ，Ｑ４ｃ，Ｑ４ｋに搬送される。前記１次転写領域Ｑ４ｙ，Ｑ４ｍ，Ｑ４ｃ，Ｑ４ｋにおいて中間転写ベルトＢの裏面側に配置された一次転写装置の一例としての１次転写ロールＴ1ｙ，Ｔ1ｍ，Ｔ1ｃ，Ｔ1ｋには、制御部Ｃにより制御される電源回路Ｅから予め設定された時期にトナーの帯電極性と逆極性の１次転写電圧が印加される。
【００１８】
前記各像保持体Ｐｙ〜Ｐｋ上のトナー像は前記１次転写ロールＴ1ｙ，Ｔ1ｍ，Ｔ1ｃ，Ｔ1ｋにより中間転写ベルトＢに１次転写される。
１次転写後の感光体Ｐｙ，Ｐｍ，Ｐｃ，Ｐｋの表面の転写残トナーや放電生成物等の残留物、付着物は、感光体クリーナＣＬｙ，ＣＬｍ，ＣＬｃ，ＣＬｋにより清掃される。清掃された前記感光体Ｐｙ，Ｐｍ，Ｐｃ，Ｐｋの表面は、帯電ローラＣＲｙ，ＣＲｍ，ＣＲｃ，ＣＲｋにより再帯電される。なお、前記感光体クリーナＣＬｙ〜ＣＬｋで除去しきれず、帯電ローラＣＲｙ〜ＣＲｋに付着した残留物等は、前記帯電ローラＣＲｙ〜ＣＲｋに接触して配置された帯電器清掃部材の一例としての帯電器クリーナＣＣｙ，ＣＣｍ，ＣＣｃ，ＣＣｋによりクリーニングされる。
【００１９】
図２において、前記感光体Ｐｙ〜Ｐｋの上方には、中間転写ユニットの一例としてのベルトモジュールＢＭが配置されている。前記ベルトモジュールＢＭは、被転写体の一例であって中間転写体の一例としての中間転写ベルトＢを有する。前記中間転写ベルトＢは、駆動部材の一例としてのベルト駆動ロールＲｄと、従動部材の一例であり且つ二次転写対向部材の一例としてのバックアップロールＴ２ａと、各感光体Ｐｙ〜Ｐｋに対向して配置された前記１次転写ロールＴ１ｙ，Ｔ１ｍ，Ｔ１ｃ，Ｔ１ｋと、からなる中間転写支持系により回転可能に支持されている。
【００２０】
前記中間転写ベルトＢの前方には、中間転写体清掃器の一例としてのベルトクリーナＣＬｂが配置されている。前記ベルトクリーナＣＬｂは、上下方向に延びる清掃容器ＣＬｂ１と、清掃容器ＣＬｂ１に支持され且つ中間転写ベルトＢに接触して中間転写ベルトＢ表面に残留した残留物を除去して清掃する清掃部材の一例としてのクリーニングブレードＣＬｂ２と、クリーニングブレードＣＬｂ２で除去された残留物が飛散、漏出することを防止するための漏出防止部材の一例としてのフィルムＣＬｂ３と、前記清掃容器ＣＬｂ１の下端部に配置され且つ除去された残留物を排出して図示しない回収容器に搬送する残留物搬送部材ＣＬｂ４とを有する。なお、実施例１の清掃容器ＣＬｂ１は、上下方向の下端が、作像装置ＵＹ〜ＵＫの下端、すなわち、現像装置Ｇｙ〜Ｇｋの下端位置に対応する位置に設定されている。
【００２１】
前記バックアップロールＴ２ａに接する中間転写ベルトＢの表面に対向して、二次転写部材の一例としての二次転写ロールＴ２ｂが配置されている。前記バックアップロールＴ２ａおよび二次転写ロールＴ２ｂにより、実施例１の二次転写装置Ｔ２が構成されている。また、２次転写ロールＴ２bおよび中間転写ベルトＢの対向する領域により、２次転写領域Ｑ５が形成される。
前記１次転写領域Ｑ４ｙ，Ｑ４ｍ，Ｑ４ｃ，Ｑ４ｋで１次転写ロールＴ1ｙ，Ｔ1ｍ，Ｔ1ｃ，Ｔ1ｋにより中間転写ベルトＢ上に順次重ねて転写された単色または多色のトナー像は、前記２次転写領域Ｑ５に搬送される。
前記１次転写ロールＴ１ｙ〜Ｔ１ｋ、中間転写ベルトＢおよび二次転写装置Ｔ２等により、実施例１の転写装置Ｔ１＋Ｔ２＋Ｂが構成されている。
【００２２】
前記制御基板ＳＣの下方には、媒体収容部の一例としての給紙トレイＴＲ１が設けられている。前記給紙トレイＴＲ１は、下壁の一例としての底壁ＴＲ１ａと、前記底壁ＴＲ１ａの後端から上方に延びる後端壁ＴＲ１ｂと、底壁ＴＲ１ａの上方に対向して配置された上壁ＴＲ１ｃとを有する。前記給紙トレイＴＲ１の前端部には、新たな記録シートＳを補充するための補充口ＴＲ１ｄが形成されている。前記上壁ＴＲ１ｃの前端部は、補充口ＴＲ１ｄの外側、すなわち、前側に行くに連れて上方に傾斜して形成されている。したがって、前記補充口ＴＲ１ｄは、前側に行くほど上壁ＴＲ１ｃと底壁ＴＲ１ａとの間隔が広くなり、補充口ＴＲ１ｄが前側に行くほど広くなるように形成されている。
【００２３】
前記底壁ＴＲ１ａ上には、回転中心ＰＬ１ａを中心として回転可能に支持され且つ媒体の一例としての記録シートＳが積載されて、記録シートＳを昇降させる媒体積載部の一例としての昇降プレートＰＬ１が配置されている。前記昇降プレートＰＬ１の後端部には、昇降プレートＰＬ１の後端部を上方に付勢する付勢部材の一例としての昇降バネＰＬ２が配置されている。前記昇降プレートＰＬ１は、画像形成が行われていない場合は、左右両端部に配置された偏心カム状の押下げ部材ＰＬ３により昇降プレートＰＬ１が底壁ＴＲ１ａに平行な状態に保持される下降位置に移動する。そして、画像形成が行われている間は、押下げ部材ＰＬ３が回転して昇降バネＰＬ２により昇降プレートＰＬ１が上昇した図２に示す上昇位置との間で移動可能に支持されている。
したがって、前記フロントカバーＵ２が開放されると、外部に補充口ＴＲ１ｄが開放されて、後端壁ＴＲ１ｂに突き当たるまで新たな記録シートＳの束を挿入して、下降位置の昇降プレートＰＬ１上に積載して収容可能となる。
【００２４】
前記上壁ＴＲ１ｃの後方には、送出部材の一例としての給紙ロールＲｐが配置されている。前記給紙ロールＲｐは、前記昇降プレートＰＬ１が上昇位置に移動した状態で、積載された記録シートＳの束の最上面の記録シートＳが昇降バネＰＬ２のバネ力で押し当てられる位置に配置されている。前記後端壁ＴＲ１ｂの上端には、捌き部材の一例としてリタードパッドＲｐｄが配置されている。
前記給紙トレイＴＲ１に積載された記録シートＳは、給紙ロールＲｐにより送り出され、前記リタードパッドＲｐｄと給紙ロールＲｐとの接触領域で１枚ずつ分離されて捌かれ、媒体搬送路ＳＨに搬送される。前記媒体搬送路ＳＨの記録シートＳは、搬送部材の一例としての搬送ロールＲａを介して、２次転写領域Ｑ５への給紙時期を調整する調整部材の一例としてのレジロールＲｒに搬送される。前記レジロールＲｒに搬送された記録シートＳは、中間転写ベルトＢのトナー像が二次転写領域Ｑ５に到達する時期に合わせて、二次転写領域Ｑ５に送り出される。
【００２５】
二次転写領域Ｑ５でトナー像が転写された後の中間転写ベルトＢは、ベルトクリーナＣＬｂにより表面に残留した転写残トナーや放電生成物等の残留物が除去されて清掃される。
前記トナー像が転写された記録シートＳは、定着装置Ｆの定着領域Ｑ６に搬送される。前記定着装置Ｆは、加熱定着部材の一例としての加熱ロールＦｈと、加圧定着部材の一例としての加圧ロールＦｐとを有し、前記加熱ロールＦｈと加圧ロールＦｐとが予め設定された圧力で接触した領域により定着領域Ｑ５が構成されている。前記記録シートＳ表面の未定着トナー像は、定着領域Ｑ６通過時に、熱と圧力により定着される。
画像が定着された記録媒体Ｓは、媒体搬送路ＳＨを搬送されて、媒体排出部材の一例としての排出ローラＲhから排出トレイＴＲｈに排出される。
【００２６】
前記排出ローラＲｈの右方には、搬送路の一例として、媒体搬送路ＳＨから分岐して右方に延びる反転用の追加接続路ＳＨ１が形成されており、追加接続路ＳＨ１と媒体搬送路ＳＨとの分岐部には、切替部材の一例としてのゲートＧＴ１が配置されている。実施例１のゲートは、弾性変形可能な材料により構成されており、媒体搬送路ＳＨを搬送されてきた記録シートＳが通過する際には、記録シートＳに押されて弾性変形して記録シートＳが排出ローラＲｈに搬送可能であると共に、記録シートＳが通過すると弾性復元して、排出ローラＲｈからの記録シートＳを追加接続路ＳＨ１に案内可能となるように配置されている。
【００２７】
図３は実施例１の画像形成装置において、追加装置の一例としての反転ユニットおよび追加給紙トレイが装着された状態の説明図である。
図２、図３において、実施例１のプリンタＵでは、装置本体Ｕ１の後面に、追加装置の一例としての反転ユニットＵ５が着脱可能に構成されている。前記反転ユニットＵ５が装着された場合には、装置本体Ｕ１の追加接続路ＳＨ１の右端には、反転ユニットＵ５の内部の搬送路の一例としての反転路ＳＨ２の上流端が接続される。前記反転路ＳＨ２の下流端は、装置本体Ｕ１のレジロールＲｒの上流部に接続されている。
したがって、両面印刷が行われる場合、一面目に画像が記録された記録シートＳが媒体搬送路ＳＨを搬送されて、搬送方向の後端がゲートＧＴ１を通過すると、排出ローラＲｈが逆回転して、記録シートＳが追加接続路ＳＨ１および反転路ＳＨ２に送られる。そして、反転路ＳＨ２上に配置された搬送部材の一例としての搬送ローラＲａにより記録シートＳが搬送され、レジロールＲｒに表裏が反転した状態で再送される。
【００２８】
図２、図３において、実施例１のプリンタＵでは、装置本体Ｕ１の下方には、追加装置の一例としての追加給紙トレイＵ６が着脱可能に構成されている。追加給紙トレイＵ６内部には、追加給紙トレイＴＲ２が形成されており、給紙トレイＴＲ１よりも前後方向の長さが長く構成されている以外は、同様に構成されている。したがって、給紙トレイＴＲ１と同様に、給紙ロールＲｐ′や昇降プレートＰＬ１′等が配置されており、給紙ロールＲｐで給紙された記録シートＳは、装置本体Ｕ１の内部に形成され且つ給紙ロールＲｐの下流側から下方に延びる供給用の第２の追加接続路ＳＨ６に搬送される。なお、追加給紙トレイＵ６には、第２の追加接続路ＳＨ６に上端が接続され且つ下方に延びる第３の追加接続路ＳＨ７が形成されており、追加給紙トレイＵ６の下方にさらに追加給紙トレイＵ６が追加される場合に、下方からの記録シートＳが通過可能に構成されている。
【００２９】
（制御部Ｃの説明）
図４は実施例１の制御部の要部説明図である。
図４において、前記制御部Ｃは、外部との信号の入出力および入出力信号レベルの調節等を行う入出力インターフェース：Ｉ／Ｏ、必要な処理を行うためのプログラムおよび情報等が記憶されたリードオンリーメモリ：ＲＯＭ、必要なデータを一時的に記憶するためのランダムアクセスメモリ：ＲＡＭ、前記ＲＯＭに記憶されたプログラムに応じた処理を行う中央演算処理装置：ＣＰＵ、ならびに発振器等を有する小型情報処理装置、いわゆるマイクロコンピュータにより構成されており、前記ＲＯＭに記憶されたプログラムを実行することにより種々の機能を実現することができる。
【００３０】
（制御部Ｃに接続された信号入力要素）
制御部Ｃには、信号出力要素の一例としての操作部ＵＩ、外部温度センサＳＮ１、内部温度センサＳＮ２等の出力信号が入力されている。
ＵＩ：操作部
操作部ＵＩは、表示部ＵＩ１や、入力部材の一例としての矢印ボタンや決定ボタン等の入力部ＵＩ２等を備えている。
ＳＮ１：外部温度センサ
外部温度センサＳＮ１は、装置本体Ｕ１の外部温度Ｔ２、すなわち、プリンタＵが設置された場所の室温を測定する。
ＳＮ２：内部温度センサ
内部温度センサＳＮ２は、装置本体Ｕ１の内部温度、すなわち、内部温度センサＳＮ２が配置可能な装置本体Ｕ１の内部温度Ｔ１を測定する。
【００３１】
（制御部Ｃに接続された被制御要素）
制御部Ｃは、次の被制御要素の制御信号を出力している。
ＤＬ：書込駆動回路
書込駆動回路ＤＬは、ＬＥＤヘッドＬＨｙ〜ＬＨｋを駆動して感光体Ｐｙ〜Ｐｋの表面に静電潜像を形成する。
Ｄ０：メインモータの駆動回路
主駆動源の駆動回路の一例としてのメインモータの駆動回路Ｄ０は、メインモータＭ０を駆動することにより図示しないギヤを介して感光体Ｐｙ〜Ｐｋや現像装置Ｇｙ〜Ｇｋの現像ローラＧ１ｙ〜Ｇ１ｋ、加熱ローラＦｈ、搬送ローラＲａ、レジロールＲｒ等を回転駆動する。
【００３２】
Ｅ：電源回路
電源回路Ｅは次の電源回路を有している。
Ｅ１：現像電源回路
現像電源回路Ｅ１は、現像装置Ｇｙ〜Ｇｋの現像ローラＧ１ｙ〜Ｇ１ｋに現像電圧を印加する。
Ｅ２：帯電電源回路
帯電電源回路Ｅ２は、帯電ロールＣＲｙ〜ＣＲｋに帯電電圧を印加する。
Ｅ３：転写電源回路
転写電源回路Ｅ３は、一次転写ローラＴ１ｙ〜Ｔ１ｋや２次転写ローラＴ２ｂに転写電圧を印加する。
Ｅ４：定着電源回路
定着電源回路Ｅ４は、加熱ローラＦｈの図示しないヒータに定着用の電力を供給する。
【００３３】
Ｄ１：ファン駆動回路
移送装置の駆動回路の一例としてのファン駆動回路Ｄ１は、ファンＵ４を駆動させる。
Ｄ２：反転制御回路
第１の追加装置の制御回路の一例としての反転制御回路Ｄ２は、反転ユニットＵ５の搬送ローラＲａを駆動させる。
Ｄ３：追加給紙トレイの制御回路
第２の追加装置の制御回路の一例としての追加給紙トレイの制御回路Ｄ３は、追加給紙トレイＵ６の給紙ロールＲｐ′や昇降プレートＰＬ１′を駆動させる。
【００３４】
（制御部Ｃの機能）
前記制御部Ｃは、前記各信号出力要素からの出力信号に応じた処理を実行して、前記各制御要素に制御信号を出力する機能を実現するプログラムである機能実現手段を有している。前記制御部Ｃの各種機能を実現する機能実現手段を次に説明する。
Ｃ１：メインモータの回転制御手段
主駆動源の制御手段の一例としてのメインモータの回転制御手段Ｃ１は、前記メインモータの駆動回路Ｄ０を制御して、感光体Ｐｙ〜Ｐｋ、現像装置Ｇｙ〜Ｇｋの現像ローラＧ１ｙ〜Ｇ１ｋ、定着装置Ｆ等の回転を制御する。
【００３５】
Ｃ２：電源回路制御手段
電源回路制御手段Ｃ２は、次の手段Ｃ２ａ〜Ｃ２ｄを有しており、前記電源回路Ｅを制御して、前記現像電圧、帯電電圧、転写電圧、加熱ローラＦｈのヒータのオン・オフ等を制御する。
Ｃ２ａ：現像電圧制御手段
現像電圧制御手段Ｃ２ａは、前記現像電源回路Ｅ１の動作を制御して現像装置Ｇｙ〜Ｇｋの現像ローラＧ１ｙ〜Ｇ１ｋに印加する現像電圧を制御する。
Ｃ２ｂ：帯電電圧制御手段
帯電電圧制御手段Ｃ２ｂは、前記帯電電源回路Ｅ２の動作を制御して帯電ロールＣＲｙ〜ＣＲｋに印加する帯電電圧を制御する。
【００３６】
Ｃ２ｃ：転写電圧制御手段
転写電圧制御手段Ｃ２ｃは、転写電源回路Ｅ３の動作を制御して転写ローラＴ１ｙ〜Ｔ１ｋ，Ｔ２ｂに印加する転写電圧を制御する。
Ｃ２ｄ：定着電源制御手段
定着電源制御手段Ｃ２ｄは定着電源回路Ｅ４の動作を制御して、前記加熱ローラＦｈのヒータをオン・オフ制御して、定着温度を制御する。
Ｃ３：ジョブ制御手段
画像形成動作の制御手段の一例としてのジョブ制御手段Ｃ３は、パーソナルコンピュータＰＣからの入力に応じて、ＬＥＤヘッドＬＨｙ〜ＬＨｋ、感光体Ｐｙ〜Ｐｋ、転写ローラＴ１ｙ〜Ｔ１ｋ，Ｔ２ｂ、定着装置Ｆ等の動作を制御して、画像形成動作であるジョブを実行する。
【００３７】
Ｃ４：スリープ制御手段
省電力制御手段の一例としてのスリープ制御手段Ｃ４は、省電力状態への移行の判別手段の一例としてのスリープ移行判別手段Ｃ４Ａを有し、操作部ＵＩやパーソナルコンピュータＰＣからの情報の受信部分等の一部の部材を除いて、プリンタＵの内部の各部材への給電を停止する省電力状態の一例としてのスリープモードの制御を行う。
Ｃ４Ａ：スリープ移行判別手段
スリープ移行判別手段Ｃ４Ａは、スリープモードへ移行する時期になったか否かを判別する。実施例１のスリープ移行判別手段Ｃ４Ａは、ジョブが終了してからジョブが再開されることなく予め設定された時間が経過した場合にスリープモードに移行する時期になったと判別する。なお、実施例１のスリープ移行判別手段Ｃ４Ａは、パーソナルコンピュータＰＣから情報を受信した場合や操作部ＵＩへの入力がされた場合に、スリープモードを終了する時期になったと判別する。
【００３８】
Ｃ５：温度検出手段
温度検出手段Ｃ５は、外部温度検出手段Ｃ５Ａと、内部温度検出手段Ｃ５Ｂと、を有し、温度センサＳＮ１，ＳＮ２の検出結果に基づいて、温度の検出を行う。
Ｃ５Ａ：外部温度検出手段
外部温度検出手段Ｃ５Ａは、外部温度センサＳＮ１の検出結果に基づいて、外部温度Ｔ２を検出する。
Ｃ５Ｂ：内部温度検出手段
内部温度検出手段Ｃ５Ｂは、内部温度センサＳＮ２の検出結果に基づいて、プリンタＵの内部温度Ｔ１を検出する。
【００３９】
Ｃ６：回数設定手段
回数設定手段Ｃ６は、回数設定情報の記憶手段Ｃ６Ａと、追加装置の装着判別手段Ｃ６Ｂと、設定回数の記憶手段Ｃ６Ｃと、を有し、ファンＵ４の制御を行う際に判別を行うための設定回数の一例としてのプリント閾値Ｎａの設定を行う。実施例１の回数設定手段Ｃ６は、外部温度Ｔ２と、追加装置Ｕ５，Ｕ６の有無とに基づいて、回数設定情報の記憶手段Ｃ６Ａに記憶された設定テーブルを使用して、プリント閾値Ｎａの設定を行う。
【００４０】
図５は実施例１の設定テーブルの説明図である。
Ｃ６Ａ：回数設定情報の記憶手段
回数設定情報の記憶手段Ｃ６Ａは、回数設定情報の一例として、外部温度Ｔ２および追加装置Ｕ５，Ｕ６の有無とプリント閾値Ｎａとの対応関係である設定テーブルＴｂを記憶する。図５において、実施例１の設定テーブルＴｂでは、Ａ４の大きさの画像を１枚印刷した場合を１［ＩＭＰ：印刷面数］とし、その他の大きさの画像をＡ４に換算するものとした場合に、外気温度Ｔ２が２８℃を超える高温且つ追加装置Ｕ５，Ｕ６が装着されている場合のプリント閾値Ｎａが６０［ＩＭＰ］、外気温度Ｔ２が２８℃以下の低温且つ追加装置Ｕ５，Ｕ６が装着されている場合のプリント閾値Ｎａが７４［ＩＭＰ］、外気温度Ｔ２が２８℃を超える高温且つ追加装置Ｕ５，Ｕ６が装着されていない場合のプリント閾値Ｎａが９０［ＩＭＰ］、外気温度Ｔ２が２８℃以下の低温且つ追加装置Ｕ５，Ｕ６が装着されていない場合のプリント閾値Ｎａが１２０［ＩＭＰ］、が設定テーブルＴｂとして記憶されている。
【００４１】
Ｃ６Ｂ：追加装置の装着判別手段
追加装置の装着判別手段Ｃ６Ｂは、追加装置Ｕ５，Ｕ６のいずれかまたは両方が装着されているか否かを判別する。実施例１の追加装置の装着判別手段Ｃ６Ｂは、制御部Ｃと各制御回路Ｄ２，Ｄ３の電気的な接続を検出することで各追加装置Ｕ５，Ｕ６が装着されているか否かを判別する。
Ｃ６Ｃ：設定回数の記憶手段
設定回数の記憶手段Ｃ６Ｃは、回数設定手段Ｃ６で設定された設定回数の一例としてのプリント閾値Ｎａを記憶する。実施例１の設定回数の記憶手段Ｃ６Ｃは、外部温度検出手段Ｃ５Ａで検出された外部温度Ｔ２や追加装置の装着判別手段Ｃ６Ｂで判別された追加装置Ｕ５，Ｕ６の有無と、設定テーブルＴｂとに基づいて、回数設定手段Ｃ６が設定したプリント閾値Ｎａが記憶される。したがって、実施例１では、設定テーブルＴｂに記憶されたプリント閾値Ｎａの値に基づいて、外部温度Ｔ２が設定温度の一例としての２８℃を超える場合には、高温用のプリント閾値Ｎａが設定されると共に、外部温度Ｔ２が２８℃以下である場合には、高温用のプリント閾値Ｎａよりも大きな低温用のプリント閾値Ｎａが設定される。また、追加装置Ｕ５，Ｕ６が装着された場合には、追加装置Ｕ５，Ｕ６が装着されていない場合に比べて、大きなプリント閾値Ｎａが設定される。
【００４２】
Ｃ７：計数手段
計数手段Ｃ７は、画像形成動作の回数の一例としての累積プリント数Ｎ１を計数する。実施例１の計数手段Ｃ７は、ジョブにおいて画像を１枚印刷する度に、画像の印刷枚数をＡ４の大きさに換算して、累積プリント数Ｎ１［ＩＭＰ］として累積、カウントする。
Ｃ８：累積回数の初期化手段
累積回数の初期化手段Ｃ８は、待機時間の計時手段Ｃ８Ａと、累積初期化用の閾値記憶手段Ｃ８Ｂと、待機時間の判別手段Ｃ８Ｃとを有し、累積回数の一例としての累積プリント数Ｎ１の初期化を行う。実施例１の累積回数の初期化手段Ｃ８は、新たなジョブが開始される際に、予め設定された時間が経過していた場合に、累積プリント数Ｎ１の初期化、すなわち、累積プリント数Ｎ１をゼロにリセットする。
【００４３】
Ｃ８Ａ：待機時間の計時手段
待機時間の計時手段Ｃ８Ａは、新たなジョブが開始されるまでに経過した時間の一例として、プリンタＵが待機していた待機時間ｔ１を計時する。実施例１の待機時間の計時手段Ｃ８Ａは、画像形成動作が終了すると待機時間ｔ１を開始する。すなわち、待機時間ｔ１として、画像形成動作が終了してから新たなジョブが開始されるまでの時間が計時される。
Ｃ８Ｂ：累積初期化用の閾値記憶手段
累積初期化用の閾値記憶手段Ｃ８Ｂは、累積回数の初期化手段Ｃ８が初期化を行うか否かを判別するための閾値の一例としての初期化時間ｔａを記憶する。実施例１では、一例として、初期化時間ｔａ＝「１５分」が記憶されている。
【００４４】
Ｃ８Ｃ：待機時間の判別手段
待機時間の判別手段Ｃ８Ｃは、計時された待機時間ｔ１が初期化時間ｔａを経過しているか否かを判別する。実施例１の待機時間の判別手段Ｃ８Ｃは、ジョブが開始された際に、待機時間の計時手段Ｃ８Ａで計時された待機時間ｔ１が、初期化時間ｔａ以上になっているか否かを判別する。
ＦＬ１：終了確認フラグ
終了記憶手段の一例としての終了確認フラグＦＬ１は、初期値は「０」であり、ジョブが終了した場合に「１」となり、ジョブが開始されて前回のジョブが正常に終了したか否かを判別する処理が行われると「０」となる。すなわち、実施例１の終了確認フラグＦＬ１は、ジョブが終了したことを特定する終了情報の一例としての「０」または「１」のデータを記憶することに相当する。
【００４５】
Ｃ９：終了情報の判別手段
終了情報の判別手段Ｃ９は、ジョブが開始された場合に、終了情報が記憶されているか否かを判別する。実施例１の終了情報の判別手段Ｃ９は、ジョブが開始された場合に、終了確認フラグＦＬ１が「１」であるか否かを判別することで、前回のジョブが正常に終了されたのか、停電や紙詰まり等により異常終了したのか否かを判別する。
Ｃ１０：終了情報の設定手段
終了情報の設定手段Ｃ１０は、ジョブが終了する度に終了情報を終了記憶手段に記憶させる設定を行う、すなわち、終了確認フラグＦＬ１を「１」にさせると共に、終了情報の判別手段Ｃ９による判別がされた場合に終了情報を初期化する設定を行う、すなわち、終了確認フラグＦＬ１を「０」にする。
【００４６】
Ｃ１１：温度差判別手段
温度差判別手段Ｃ１１は、終了情報の判別手段Ｃ９により終了情報が初期化されている、すなわち、終了確認フラグＦＬ１ｇ「０」であると判別された場合に、プリンタＵの外部温度Ｔ２と内部温度Ｔ１との温度差が予め設定された温度差の一例としての温度差判別値Ｔａ以上であるか否かを判別する。実施例１では、一例として、温度差判別値Ｔａ＝「１℃」が設定されている。すなわち、実施例１の温度差判別手段Ｃ１１は、前回のジョブが異常終了していた場合に新たなジョブが開始された場合に、内部温度Ｔ１と外部温度Ｔ２との温度差が小さく、異常終了してから十分に時間が経過して、プリンタＵの内部が冷却された状態となっているか否かを判別する。
【００４７】
Ｃ１２：移送制御手段
移送制御手段Ｃ１２は、作動開始の判別手段Ｃ１２Ａと、作動状態の記憶手段の一例としてのファン回転フラグＦＬ２とを有し、ファンＵ４の作動および作動停止を制御する。実施例１の移送制御手段Ｃ１２は、ジョブが開始された場合にファンＵ４を停止させ且つ前記累積プリント数Ｎ１がプリント閾値Ｎａ以上になった場合にファンＵ４を作動させる。  温度差Ｔ１−Ｔ２が温度差判別値Ｔａ以下である場合、ジョブが開始された場合にファンＵ４を停止させ且つ累積プリント数Ｎ１がプリント閾値Ｎａ以上になった場合にファンＵ４を作動させるが、温度差Ｔ１−Ｔ２が温度差判別値Ｔａより大きい場合、画像形成動作が開始された場合にファンＵ４を作動させる。
【００４８】
Ｃ１２Ａ：作動開始の判別手段
作動開始の判別手段Ｃ１２Ａは、ファンＵ４の作動を開始するか否かを判別する。実施例１の作動開始の判別手段Ｃ１２Ａは、累積プリント数Ｎ１がプリント閾値Ｎａ以上になったか否かを判別することにより、ファンＵ４の作動を開始する時期になったか否かを判別する。
ＦＬ２：ファン回転フラグ
ファン回転フラグＦＬ２は、初期値は「０」であり、ファンＵ４を作動させる場合には「１」となり、ファンＵ４の作動が停止している場合には「０」となる。すなわち、ファンＵ４の作動状態を記憶している。
【００４９】
（実施例１の流れ図の説明）
次に、本発明の実施例１の画像形成装置Ｕの処理の流れを流れ図、いわゆる、フローチャートを使用して説明する。
（ファン制御処理の説明）
図６は実施例１の移送制御処理の一例としてのファン制御処理のフローチャートである。
図６のフローチャートの各ＳＴ：ステップの処理は、前記制御部ＣのＲＯＭに記憶されたプログラムに従って行われる。また、この処理は複写機Ｕの他の各種処理、例えば、１枚印刷を実行する度に、印刷面数：ＩＭＰを累積していく印刷累積処理等の各種処理と並行してマルチタスクで実行される。なお、印刷累積処理は、１枚印刷が実行される度に、印刷された画像のサイズをＡ４サイズに換算して、累積印刷面数Ｎ１をカウントしていくだけであるため、図示および詳細な説明は省略する。
図６に示すフローチャートはプリンタＵの電源オンにより開始される。
【００５０】
図６のＳＴ１において、ジョブが開始されたか否かを判別する。イエス（Ｙ）の場合はＳＴ２に進み、ノー（Ｎ）の場合はＳＴ１を繰り返す。
ＳＴ２において、計時中の待機時間ｔ１を取得する。そして、ＳＴ３に進む。
ＳＴ３において、待機時間ｔ１が初期化時間ｔａ以上であるか否かを判別する。イエス（Ｙ）の場合はＳＴ４に進み、ノー（Ｎ）の場合はＳＴ５に進む。
ＳＴ４において、累積プリント数Ｎ１をゼロに初期化する。すなわち、Ｎ１＝０とする。そして、ＳＴ５に進む。
ＳＴ５において、終了確認フラグＦＬ１が「１」であるか否かを判別する。ノー（Ｎ）の場合はＳＴ６に進み、イエス（Ｙ）の場合はＳＴ８に進む。
【００５１】
ＳＴ６において、内部温度Ｔ１−外部温度Ｔ２の温度差が温度差判別値Ｔａ以下であるか否かを判別する。ノー（Ｎ）の場合はＳＴ７に進み、イエス（Ｙ）の場合はＳＴ８に進む。
ＳＴ７において、ファン回転フラグＦＬ２を「１」にする。そして、ＳＴ１０に進む。
ＳＴ８において、外部温度Ｔ２と追加装置Ｕ５，Ｕ６の装着の有無と、設定テーブルＴｂとに基づいて、プリント閾値Ｎａを設定する。そして、ＳＴ９に進む。
ＳＴ９において、ファン回転フラグＦＬ２を「０」にする。そして、ＳＴ１０に進む。
ＳＴ１０において、次の処理（１）、（２）を実行して、ＳＴ１１に進む。
（１）終了確認フラグＦＬ１を「０」とする
（２）累積プリント数Ｎ１のカウントを開始する。
【００５２】
ＳＴ１１において、ファン回転フラグＦＬ２が「１」であるか否かを判別する。イエス（Ｙ）の場合はＳＴ１２に進み、ノー（Ｎ）の場合はＳＴ１４に進む。
ＳＴ１２において、ファンＵ４が駆動中であるか否かを判別する。ノー（Ｎ）の場合はＳＴ１３に進み、イエス（Ｙ）の場合はＳＴ１４に進む。
ＳＴ１３において、ファンＵ４の駆動を開始する。そして、ＳＴ１４に進む。
ＳＴ１４において、累積プリント数Ｎ１がプリント閾値Ｎａ以上であるか否かを判別する。イエス（Ｙ）の場合はＳＴ１５に進み、ノー（Ｎ）の場合はＳＴ１６に進む。
ＳＴ１５において、ファン回転フラグＦＬ２を「１」にする。そして、ＳＴ１６に進む。
ＳＴ１６において、ジョブが終了したか否かを判別する。イエス（Ｙ）の場合はＳＴ１７に進み、ノー（Ｎ）の場合はＳＴ１１に戻る。
【００５３】
ＳＴ１７において、次の処理（１）〜（３）を実行し、ＳＴ１８に進む。
（１）ファンＵ４を停止させる。
（２）終了確認フラグＦＬ１を「１」にする。
（３）待機時間ｔ１をゼロに初期化して、計時を開始する。
ＳＴ１８において、スリープモードに移行したか否かを判別する。ノー（Ｎ）の場合はＳＴ１９に進み、イエス（Ｙ）の場合はＳＴ１に戻る。
ＳＴ１９において、ジョブが開始されたか否かを判別する。イエス（Ｙ）の場合はＳＴ２に戻り、ノー（Ｎ）の場合はＳＴ１８に戻る。
【００５４】
（実施例１の作用）
前記構成要件を備えた実施例１の画像形成装置の一例としてのプリンタＵでは、画像形成動作としてのジョブが開始され、プリント閾値Ｎａが設定された場合は、累積プリント数Ｎ１がプリント閾値Ｎａになるまでの間は、ファンＵ４が駆動されずにジョブが実行される。したがって、一度に印刷される枚数が少なく、ファンＵ４を作動させなくても、装置本体Ｕ１の内部の冷却、廃熱が十分であったり、新鮮な空気が導入されオゾン等を移送する必要がある程オゾンが発生しなかったりする場合に、ファンＵ４が作動されない。よって、画像形成動作時にファンが常時作動する構成に比べて、ファンＵ４の不要な作動が低減され、消費電力が低減され、騒音が低減される。
そして、累積プリント数Ｎ１がプリント閾値Ｎａ以上になると、ファンＵ４が作動して、冷却が開始される。すなわち、一度に印刷される枚数が多く、冷却等が必要になると、ファンＵ４が作動して、装置本体Ｕ１の内部が冷却される。
【００５５】
ここで、装置本体Ｕ１における熱源、例えば、制御基板ＳＣや作像装置ＵＹ〜ＵＫ等の駆動部分、摺動部分やモータ、あるいは、熱に弱いセンサ等の位置の温度を計測して、ファンの作動、停止を制御することが従来通常考えられることである。しかしながら、この場合、温度を計測したい場所に温度センサを配置する必要があり、温度センサを配置する空間が確保できなかったり、空間を確保すると装置本体が大型化することがある。
これに対して、実施例１のプリンタＵでは、熱源や熱に弱い部材の近傍等に内部温度センサＳＮ１を配置することができない場合でも、累積プリント枚数Ｎ１に基づいてファンＵ４の制御が行われており、装置本体Ｕ１の大型化が抑制されている。
【００５６】
また、実施例１のプリンタＵでは、プリント閾値Ｎａは、外部温度Ｔ２が高温である場合には、低温の場合に比べて、小さい値に設定されており、装置本体Ｕ１の内部の温度が上がりやすい場合には、早い時期にファンＵ４が作動して、冷却が開始される。
さらに、実施例１のプリンタＵでは、プリント閾値Ｎａは、追加装置Ｕ５，Ｕ６が装着されている場合には、装着されていない場合に比べて、小さい値に設定されている。したがって、追加装置Ｕ５，Ｕ６の作動に伴って発生する熱や、制御基板ＳＣにおける消費電力の増大に伴って発生する熱等が存在して、装置本体Ｕ１の内部の温度が上がりやすい場合には、早い時期にファンＵ４が作動して、冷却が開始される。
【００５７】
また、実施例１のプリンタＵでは、ジョブが終了してから新たなジョブが開始されるまでの待機時間ｔ１が、初期化時間ｔａ未満である場合、累積プリント数Ｎ１が初期化されない。したがって、一度のジョブで印刷される枚数が少なくても、次回のジョブまでの間隔が短く、装置本体Ｕ１の内部の冷却が不十分である可能性がある場合には、累積プリント数Ｎ１が初期化されずにカウントが行われる。したがって、装置本体Ｕ１の内部が高温になってもファンＵ４が作動しないという状態が回避され、プリンタＵの故障や画質への悪影響が低減される。
さらに、実施例１のプリンタＵでは、終了確認フラグＦＬ１が「０」である場合、すなわち、前回のジョブにおいて停電や紙詰まり等の問題が発生して異常終了した場合、装置本体Ｕ１の内部温度Ｔ１と外部温度Ｔ２との温度差が、温度差判別値Ｔａ以下であり、装置本体Ｕ１の内部が十分に冷却されている場合には、ファンＵ４が作動しない。一方で、内部温度Ｔ１と外部温度Ｔ２とが温度差判別値Ｔａ以上である場合には、装置本体Ｕ１の内部が十分に冷却されていない状態であり、累積プリント数Ｎ１に関わらず、ファンＵ４が作動して、冷却等が行われる。したがって、十分に冷却されていない場合にファンＵ４を停止させる場合に比べて、過熱が低減される。
【００５８】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ010）を下記に例示する。
（Ｈ01）前記実施例において、画像形成装置としてのプリンタを例示したが、これに限定されず、ＦＡＸや複写機あるいはこれらすべてまたは複数の機能を備えた複合機とすることも可能である。また、カラーの画像形成装置に限定されず、モノクロの画像形成装置により構成することも可能である。
【００５９】
（Ｈ02）前記実施例において、中間転写体としての中間転写ベルトを使用する構成を例示したが、この構成に限定されず、中間転写ドラムを使用する構成とすることも可能である。また、転写装置として中間転写体を有する転写装置を例示したが、この構成に限定されず、例えば、中間転写体を省略して、感光体Ｐｙ〜Ｐｋから直接、被転写体としての記録シートＳにトナー像を転写する構成とすることも可能である。
（Ｈ03）前記実施例において、帯電器クリーナＣＣｙ〜ＣＣｋを省略することも可能である。
【００６０】
（Ｈ04）前記実施例において、プリント閾値Ｎａを外部温度Ｔ２や追加装置Ｕ５，Ｕ６の有無に応じて設定する構成を例示したが、これに限定されず、プリント閾値Ｎａを変更せずに特定の固定値としたり、外部温度Ｔ２や追加装置Ｕ５，Ｕ６以外の条件に応じて設定することも可能である。例えば、単色印刷と多色印刷でプリント閾値Ｎａを変更したり、追加装置Ｕ５，Ｕ６の装着されている数に応じてプリント閾値Ｎａを変更する等も可能である。
（Ｈ05）前記実施例において、実施例において数値どうしを比較する場合に、「以上」「以下」「より大きい」「未満」という判別を行ったが、境界の数値の取扱について、実施例に例示した取扱に限定されず、設計や仕様等に応じて任意に変更可能である。
【００６１】
（Ｈ06）前記実施例において、追加装置Ｕ５，Ｕ６として、反転ユニットＵ５や追加給紙トレイＵ６を例示したが、これに限定されず、例えば、ハードディスクやメモリー：ＲＡＭや、手差しトレイ等の従来公知の任意の追加装置について適用することが可能である。
（Ｈ07）前記実施例において、前回のジョブが異常終了したか正常終了したかに応じて制御を変える構成とすることが望ましいが、異常終了、正常終了の判別をしないようにすることも可能である。
（Ｈ08）前記実施例において、プリント閾値Ｎａをジョブ開始時にＳＴ８で１度だけ設定する構成を例示したが、これに限定されず、例えば、ジョブ中にプリント閾値Ｎａを更新していく構成、具体的には、ＳＴ１６でノー（Ｎ）の場合はＳＴ５に戻るようにすることで、ジョブ実行中の外気温Ｔ２の変化に対応可能な構成とすることも可能である。
【００６２】
（Ｈ09）前記実施例において、移送装置として、流体の一例としての気体を移送するファンを例示したが、これに限定されず、例えば、ヒートパイプ等の液体を移送する移送装置を使用する構成とすることも可能である。すなわち、空冷方式に限定されず、液冷方式とすることも可能である。
（Ｈ010）前記実施例において、画像形成動作の回数を計数する際にＩＭＰ：印刷面数を計数する構成を例示したが、これに限定されず、例えば、感光体Ｐｙ〜Ｐｋや、ＬＥＤヘッドＬＨｙ〜ＬＨｋ、中間転写ベルトＢ等の回転数や回転時間、各種電源のオン／オフの回数等を使用することも可能である。
【符号の説明】
【００６３】
Ｃ６…回数設定手段、
Ｃ７…計数手段、
Ｃ９…終了情報の判別手段、
Ｃ１０…終了情報の設定手段、
Ｃ１１…温度差判別手段、
Ｃ１２…移送制御手段、
ＦＬ１…終了記憶手段、
Ｎ１…回数、
Ｎａ…設定回数、
Ｔ１…内部の温度、
Ｔ１−Ｔ２…温度差、
Ｔ２…外部の温度、
Ｔａ…設定された温度差、
Ｕ…画像形成装置、
Ｕ１…本体、
Ｕ４…移送装置、
Ｕ５，Ｕ６…追加装置。
【図１】
2012081709.tif 000003
【図２】
2012081709.tif 000004
【図３】
2012081709.tif 000005
【図４】
2012081709.tif 000006
【図５】
2012081709.tif 000007
【図６】
2012081709.tif 000008